(57)【要約】【課題】フィルタエレメントの通気抵抗の増大を抑制しつつ、ハウジングなどにフィルタエレメントを円滑に組み付けることができる。【解決手段】フィルタエレメント１０は、襞折りされた平形の濾過体１１と、濾過体１１における襞の山部１２ａの外周縁に設けられたシール部材１４と、通気性を有する材料からなり、各襞１２の広がりを規制する規制部材としての規制帯１５と、を備える。【選択図】図１
2015112583.tif 000002
【特許請求の範囲】
【請求項１】
襞折りされた平形の濾過体と、
前記濾過体における襞の山部の外周縁に設けられたシール部材と、
通気性を有する材料からなり、前記濾過体の各襞の広がりを規制する規制部材と、を備える、
フィルタエレメント。
【請求項２】
前記規制部材は前記濾過体と同一の材料によって形成されている、
請求項１に記載のフィルタエレメント。
【請求項３】
前記規制部材の基端は前記濾過体と一体形成されている、
請求項２に記載のフィルタエレメント。
【請求項４】
前記規制部材の先端は前記シール部材に固定されている、
請求項３に記載のフィルタエレメント。
【請求項５】
前記規制部材は前記濾過体における襞の稜線方向の中央部において同稜線方向に直交する方向に沿って延びている、
請求項１〜請求項４のいずれか一項に記載のフィルタエレメント。
【発明の詳細な説明】
【技術分野】
【０００１】
本発明は、フィルタエレメントに関する。
【背景技術】
【０００２】
従来、襞折りされた平形の濾過体を備えたフィルタエレメントがある（例えば特許文献１参照）。特許文献１に記載のフィルタエレメントの濾過体における襞の稜線方向の両端には、隣接する襞の間をシールする端部シール材が設けられている。また、エアクリーナのハウジングなどに対してフィルタエレメントを組み付ける際に襞の間隔が広がるとハウジングに襞が干渉してしまい、フィルタエレメントを円滑に組み付けることができなくなるおそれがある。そこで、特許文献１に記載のフィルタエレメントでは、襞の間隔の広がりを抑制すべく、濾過体における端部シール材が設けられている面とは反対側の面に対してホットメルト接着剤からなる接合部が設けられている。この接合部は、前記稜線方向の中央部に設けられている。
【先行技術文献】
【特許文献】
【０００３】
【特許文献１】特開２０１３―７８７３１号公報
【発明の概要】
【発明が解決しようとする課題】
【０００４】
ところで、特許文献１に記載のフィルタエレメントにおいては、濾過体における接合部が形成された部分は通気性をほとんど有さなくなる。そのため、濾過体の濾過面積が制限されることとなり、フィルタエレメントの通気抵抗の増大を招くといった問題が生じる。
【０００５】
本発明の目的は、通気抵抗の増大を抑制しつつ、ハウジングなどに円滑に組み付けることができるフィルタエレメントを提供することにある。
【課題を解決するための手段】
【０００６】
上記目的を達成するためのフィルタエレメントは、襞折りされた平形の濾過体と、前記濾過体における襞の山部の外周縁に設けられたシール部材と、通気性を有する材料からなり、前記濾過体の各襞の広がりを規制する規制部材と、を備える。
【０００７】
同構成によれば、エアクリーナのハウジングなどにフィルタエレメントを組み付ける際に各襞の間隔の広がりが規制部材によって規制され、同ハウジングに襞が干渉することを抑制することができる。また、規制部材は通気性を有する材料によって形成されているため、規制部材によってフィルタエレメントの通気抵抗が増大することを抑制することができる。
【発明の効果】
【０００８】
本発明によれば、フィルタエレメントの通気抵抗の増大を抑制しつつ、ハウジングなどにフィルタエレメントを円滑に組み付けることができる。
【図面の簡単な説明】
【０００９】
【図１】（ａ）は一実施形態に係るフィルタエレメントの斜視図、（ｂ）は（ａ）の矢印Ａ方向から視たフィルタエレメントの斜視図。
【図２】図１の２−２線に沿った断面図。
【図３】同実施形態に係るフィルタエレメントの製造工程を示す斜視図であって、（ａ）は濾材シートに対して接着剤を塗布する工程及び接着剤が塗布された濾材シートを襞折りする工程を示す図、（ｂ）は襞折りされた濾過体を示す図、（ｃ）は規制帯を折り返す工程を示す図。
【図４】濾材シートの裁断パターンの一例を示す平面図。
【図５】他の変形例に係るフィルタエレメントの断面図。
【発明を実施するための形態】
【００１０】
以下、図１〜図３を参照して、フィルタエレメントを車載用エアクリーナのフィルタエレメントとして具体化した一実施形態について説明する。
図１（ａ），（ｂ）に示すように、フィルタエレメント１０は、帯状の濾紙からなる濾材シート１１Ａ（図３参照）が襞折りされた平形の濾過体１１を備えている。なお、以降において、濾過体１１における襞１２の稜線の延びる方向を単に稜線方向Ｐと称し、同稜線方向に直交する方向を単に直交方向Ｑと称する。
【００１１】
濾過体１１における襞１２の山部１２ａの外周縁、すなわち同図における襞１２の上側外周縁にはシール部材１４が設けられている。シール部材１４は、図示しないエアクリーナのハウジングとの間をシールするためのものであり、例えばポリウレタン樹脂などの合成樹脂によって形成されている。また、襞１２のクリーンサイド面における稜線方向Ｐの両端には、互いに隣接する襞１２の間をシールする端部シール材１３が設けられている。この端部シール材１３は後述するホットメルト接着剤１３Ａによって形成されている。
【００１２】
図１（ｂ）及び図２に示すように、濾過体１１における直交方向Ｑの一端１１ａはシール部材１４に埋設されて固定されている。前記一端１１ａの稜線方向Ｐの中央部からは長尺状の規制帯１５が延びている。すなわち、規制帯１５は濾過体１１と同一の通気性を有する材料からなる濾材シート１１Ａによって形成されており、同規制帯１５の基端１５ａは濾過体１１と一体形成されている。規制帯１５は前記一端１１ａから折り返されて同規制帯１５に隣接する襞１２に沿って下方に延びるとともに、当該隣接する襞１２の下端において濾過体１１側に向けて屈曲されている。
【００１３】
更に規制帯１５は、図１（ａ）及び図２に示すように、濾過体１１の下側において直交方向Ｑに沿って延びるとともに、濾過体１１における直交方向Ｑの他端１１ｂにおいて屈曲して上方に延びている。また、規制帯１５の先端１５ｂは前記シール部材１４の内部に埋設されて固定されている。従って、規制帯１５によって濾過体１１の各襞１２の広がりが規制されている。
【００１４】
次に、本実施形態のフィルタエレメント１０の製造方法について説明する。
フィルタエレメント１０を製造するに際しては、濾過体１１の素材である濾材シート１１Ａが搬送装置によって搬送されるとともに、図３（ａ）に示すように、一対のアプリケータ２１から供給されるホットメルト接着剤１３Ａが濾材シート１１Ａの幅方向の両端の上面に塗布される。そして、濾材シート１１Ａが襞折りされる。このようにして、図３（ｂ）に示すように、襞折りされた平形の濾過体１１が形成される。
【００１５】
また、濾材シート１１Ａの搬送方向の上流側部分が裁断されることによって規制帯１５が形成される。
次に、図３（ｃ）に示すように、濾過体１１の搬送方向の上流側端、すなわち直交方向Ｑの前記一端１１ａにおいて規制帯１５の基端１５ａが下方に折り返され、同濾過体１１の下側を通される。そして、直交方向Ｑの前記他端１１ｂにおいて上方に屈曲される。
【００１６】
最後に、濾過体１１の上側外周縁に図示しない成形型を用いてシール部材１４を成形することによってフィルタエレメント１０が形成される。またこのとき、規制帯１５の先端１５ｂはシール部材１４に埋設される。
【００１７】
次に、本実施形態の作用について説明する。
エアクリーナのハウジングにフィルタエレメント１０を組み付ける際に各襞１２の間隔の広がりが規制帯１５によって規制され、同ハウジングに襞１２が干渉することが抑制される。従って、フィルタエレメント１０の組み付け性を簡易な構成によって向上させることができる。
【００１８】
また、規制帯１５は通気性を有する材料によって形成されている。また、規制帯１５は帯状をなしているため、規制帯１５によって覆われる面積は小さい。従って、規制帯１５によってフィルタエレメント１０の通気抵抗が増大することを抑制することができる。
【００１９】
以上説明した本実施形態に係るフィルタエレメントによれば、以下に示す効果が得られるようになる。
（１）フィルタエレメント１０は、襞折りされた平形の濾過体１１と、濾過体１１における襞１２の山部１２ａの外周縁に設けられたシール部材１４と、通気性を有する材料からなり、濾過体１１の各襞１２の広がりを規制する規制部材としての規制帯１５と、を備える。こうした構成によれば、フィルタエレメント１０の通気抵抗の増大を抑制しつつ、ハウジングに対してフィルタエレメント１０を円滑に組み付けることができる。
【００２０】
（２）規制帯１５は濾過体１１と同一の材料である濾材シート１１Ａによって形成されている。このため、規制帯１５を追加することによってフィルタエレメント１０の材料の種類が増えることを回避することができる。
【００２１】
（３）規制帯１５の基端１５ａは濾過体１１と一体形成されている。また、規制帯１５を追加することによってフィルタエレメント１０の部品点数が増えることを回避することができる。
【００２２】
（４）規制帯１５の先端１５ｂはシール部材１４に固定されている。こうした構成によれば、シール部材１４を成形する際に濾過体１１の襞１２の山部１２ａの外周縁と共に規制帯１５の先端１５ｂをシール部材１４に固定することが可能となるため、規制帯１５を容易に形成することができる。
【００２３】
（５）規制帯１５は濾過体１１における襞の稜線方向の中央部において同稜線方向に直交する方向に沿って延びている。こうした構成によれば、濾過体１１の襞１２を１本の規制帯１５によって安定して束ねることができる。
【００２４】
なお、本発明に係るフィルタエレメントは、上記実施形態にて例示した構成に限定されるものではなく、これを適宜変更した例えば次のような形態として実施することもできる。
【００２５】
・例えば複数本の規制帯１５を稜線方向Ｐにおいて離間して設けることもできる。
・図４に示すように、濾材シート１１１Ａの搬送方向の上流側部分に規制帯１１５を形成し、同濾材シート１１１Ａの次に搬送される濾材シート２１１Ａの搬送方向の下流側部分に規制帯２１５を形成し、これら規制帯１１５，２１５が搬送方向と直交する方向において重なり合うように濾材シート１１１Ａ，２１１Ａを裁断することが好ましい。このように裁断することによって、除去される部分１１１Ｂ，２１１Ｂを半減して材料の有効利用を図ることができる。
【００２６】
・図５に示すように、規制帯３１５を濾過部３１１と別体とすることもできる。この場合、規制帯３１５の両端３１５ａ，３１５ｂをシール部材３１４に埋設して固定するようにすればよい。
【００２７】
・規制帯の長手方向の端を濾過体の側面に接着剤によって固定するようにしてもよい。
・規制部材は通気性を有する材料からなるものであればよく、例えば不織布や、連続気泡体のポリウレタン樹脂など濾過体とは異なる材料によって規制部材を形成することもできる。
【符号の説明】
【００２８】
１０，３１０…フィルタエレメント、１１，３１１…濾過体、１１ａ，３１１ａ…一端、１１ｂ，３１１ｂ…他端、１１Ａ，１１１Ａ，２１１Ａ…濾材シート、１２，３１２…襞、１２ａ，３１２ａ…山部、１３…端部シール材、１３Ａ…ホットメルト接着剤、１４，３１４…シール部材、１５，１１５，２１５，３１５…規制帯（規制部材）、１５ａ，３１５ａ…基端、１５ｂ，３１５ｂ…先端、２１…アプリケータ，１１１Ｂ，２１１Ｂ…除去される部分。
【図１】
2015112583.tif 000003
【図２】
2015112583.tif 000004
【図３】
2015112583.tif 000005
【図４】
2015112583.tif 000006
【図５】
2015112583.tif 000007